(57)【要約】【課題】耳への装着感が良好で、長時間着けていても耳に痛みが生じにくいイヤホンを提供する。【解決手段】イヤホン１は、ドライバユニットを収容した球状の収容部２０と、収容部２０に連結された支持部３０と、を有する。支持部３０は、収容部２０から延びる棒状部３１と、棒状部３１の端に設けられた球状の支持端部３２と、を有する。収容部２０及び支持端部３２が耳１００に接触する。耳１００に接触する部分は柔軟性及び弾力性を有する。イヤホン１は、収容部２０が外耳道の入り口１１２及び／又はその近傍の第１耳部位１００ａに嵌まるとともに支持部２０の支持端部３２が外耳道の入り口１１２及び第１耳部位１００ａから離間した第２耳部位１００ｂに接触することにより耳１００に安定に装着される。【選択図】図３
2019140546.tif 000002
【特許請求の範囲】
【請求項１】
耳に装着される音響装置であって、
ドライバユニットを収容した収容部と、
その一端側が前記収容部に連結された支持部と、を有し、
前記収容部の一部及び前記支持部の一部は耳に接触する部分であり、
前記耳に接触する部分は柔軟性及び弾力性を有し、
前記収容部の前記一部が外耳道の入り口及び／又はその近傍の第１耳部位に嵌まるとともに前記支持部の前記一部が前記外耳道の入り口及び前記第１耳部位から離間した第２耳部位に接触することにより耳に装着される音響装置。
【請求項２】
前記支持部は、前記収容部から延びる棒状部と、当該棒状部の端に設けられた球状の支持端部と、を有し、
前記球状の支持端部が前記第２耳部位に接触する、請求項１の音響装置。
【請求項３】
本体を更に有し、
前記本体は、
その一端部が前記収容部の一部を成し、その他端部が前記球状の支持端部の一部を成し、その中間部が前記棒状部を成し、
前記ドライバユニットは、前記本体の前記一端部に保持されている、請求項２の音響装置。
【請求項４】
前記支持部は、板状の部材であり、
前記支持部の他端側が前記第１耳部位から離間した第２耳部位の皮膚に面接触することにより耳に装着される、請求項１の音響装置。
音響装置。
【請求項５】
前記支持部の他端側の少なくとも一部が粘着層を介して前記皮膚に付着する、請求項４記載の音響装置。
【請求項６】
前記支持部は、その一端側が前記収容部に連結されたリング状又は円板状の部材である、請求項１の音響装置。
【請求項７】
耳に装着される音響装置であって、
ドライバユニットを収容した収容部と、
前記収容部から延びるコードと、
その一端側が前記収容部に連結された支持部と、を有し、
前記収容部の一部は耳に接触する部分であり、
前記耳に接触する部分は柔軟性及び弾力性を有し、
前記コードは、第１湾曲部及び第２湾曲部を有し、
前記第１湾曲部は、前記収容部の近傍で第１の向きに湾曲した部分であり、
前記第２湾曲部は、前記第１湾曲部から前記第１の向きに延びるとともに前記第１の向きとは逆の第２の向きに湾曲した部分であり、
前記支持部は、前記コードを前記第１湾曲部及び前記第２湾曲部を有する状態に保持するコード保持部を有し、
前記収容部の一部が外耳道の入り口又はその近傍の第１耳部位に嵌まるとともに前記コードの前記第２湾曲部が前記外耳道の入り口及び前記第１耳部位から離間した第２耳部位に接触することにより耳に装着される音響装置。
【請求項８】
前記支持部は、その一端側が前記収容部に連結された板状又はリング状の部材である、請求項７の音響装置。
【請求項９】
前記収容部は、前記ドライバユニットを覆うカバーを有し、
前記カバーは、柔軟性及び弾力性を有する、請求項１乃至８のいずれかの音響装置。
【請求項１０】
前記収容部の形状は球形である、請求項１乃至９のいずれかの音響装置。
【請求項１１】
音響装置の装着方法であって、
前記音響装置は、
ドライバユニットを収容した収容部と、
その一端側が前記収容部に連結された支持部と、を有し、
前記収容部の一部及び前記支持部の一部は耳に接触する部分であり、
前記耳に接触する部分は柔軟性及び弾力性を有し、
前記収容部の前記一部を外耳道の入り口及び／又はその近傍の第１耳部位に嵌めるとともに前記支持部の前記一部を前記外耳道の入り口及び前記第１耳部位から離間した第２耳部位に接触させることにより前記音響装置を耳に装着する、音響装置の装着方法。
【請求項１２】
音響装置の装着方法であって、
前記音響装置は、
ドライバユニットを収容した収容部と、
前記収容部から延びるコードと、
その一端側が前記収容部に連結された支持部と、を有し、
前記収容部の一部は耳に接触する部分であり、
前記耳に接触する部分は柔軟性及び弾力性を有し、
前記コードは、第１湾曲部及び第２湾曲部を有し、
前記第１湾曲部は、前記収容部の近傍で第１の向きに湾曲した部分であり、
前記第２湾曲部は、前記第１湾曲部から前記第１の向きに延びるとともに前記第１の向きとは逆の第２の向きに湾曲した部分であり、
前記支持部は、前記コードを前記第１湾曲部及び前記第２湾曲部を有する状態に保持するコード保持部を有し、
前記収容部の一部を外耳道の入り口又はその近傍の第１耳部位に嵌めるとともに前記コードの前記第２湾曲部を前記外耳道の入り口及び前記第１耳部位から離間した第２耳部位に接触させることにより前記音響装置を耳に装着する、音響装置の装着方法。
【請求項１３】
耳に装着される音響装置の表面を広告領域に使用して広告を行う広告方法であって、
前記音響装置は、
ドライバユニットを収容した収容部と、
その一端側が前記収容部に連結された支持部と、を有し、
前記収容部の一部及び前記支持部の一部は耳に接触する部分であり、
前記耳に接触する部分は柔軟性及び弾力性を有し、
前記支持部は、板状の部材であり、
前記収容部の前記一部が外耳道の入り口及び／又はその近傍の第１耳部位に嵌まるとともに前記支持部の他端側が前記第１耳部位から離間した第２耳部位の皮膚に面接触することにより耳に装着される音響装置であり、
前記音響装置の前記支持部の表面を広告領域に使用して広告を行う、広告方法。
【請求項１４】
耳に装着される音響装置の音響特性変更方法であって、
前記音響装置は、
ドライバユニットを収容した収容部と、
その一端側が前記収容部に連結された支持部と、を有し、
前記収容部の一部及び前記支持部の一部は耳に接触する部分であり、
前記耳に接触する部分は柔軟性及び弾力性を有し、
前記収容部は、前記ドライバユニットを覆うカバーを有し、
前記カバーは、柔軟性及び弾力性を有し、
前記収容部の前記一部が外耳道の入り口及び／又はその近傍の第１耳部位に嵌まるとともに前記支持部の前記一部が前記外耳道の入り口及び前記第１耳部位から離間した第２耳部位に接触することにより耳に装着される音響装置であり、
前記カバーとして、タッチノイズ防止の優先度と低音特性改善の優先度との比が異なる複数種類のカバーを用意しておき、前記カバーを前記比が異なる別のカバーに交換することにより前記音響装置の音響特性を変更する、音響特性変更方法。
【請求項１５】
耳に装着される音響装置の音響特性変更方法であって、
前記音響装置は、
ドライバユニットを収容した収容部と、
前記収容部から延びるコードと、
その一端側が前記収容部に連結された支持部と、を有し、
前記収容部の一部は耳に接触する部分であり、
前記耳に接触する部分は柔軟性及び弾力性を有し、
前記コードは、第１湾曲部及び第２湾曲部を有し、
前記第１湾曲部は、前記収容部の近傍で第１の向きに湾曲した部分であり、
前記第２湾曲部は、前記第１湾曲部から前記第１の向きに延びるとともに前記第１の向きとは逆の第２の向きに湾曲した部分であり、
前記支持部は、前記コードを前記第１湾曲部及び前記第２湾曲部を有する状態に保持するコード保持部を有し、
前記収容部は、前記ドライバユニットを覆うカバーを有し、
前記カバーは、柔軟性及び弾力性を有し、
前記収容部の一部が外耳道の入り口又はその近傍の第１耳部位に嵌まるとともに前記コードの前記第２湾曲部が前記外耳道の入り口及び前記第１耳部位から離間した第２耳部位に接触することにより耳に装着される音響装置であり、
前記カバーとして、タッチノイズ防止の優先度と低音特性改善の優先度との比が異なる複数種類のカバーを用意しておき、前記カバーを前記比が異なる別のカバーに交換することにより前記音響装置の音響特性を変更する、音響特性変更方法。
【請求項１６】
前記タッチノイズ防止の優先度と低音特性改善の優先度との比は、通気性の程度を示す、請求項１４又は１５の音響特性変更方法。
【発明の詳細な説明】
【技術分野】
【０００１】
本発明は、耳に装着される音響装置に関する。
【背景技術】
【０００２】
耳に装着される音響装置として、イヤホンが多数商品化されている。
イヤホンは、インナーイヤー型イヤホン（イントラコンカ型イヤホン、オープンエア型イヤホン、等とも称される）とカナル型（耳栓型、密閉型、等とも称される）イヤホンとに大別される。
【０００３】
図２３に示すように、インナーイヤー型イヤホン２００は、ドライバユニット２０１を内蔵したハウジング２０２を、耳珠１１４と対耳珠１１５とに囲まれた窪み部分（耳甲介腔）１１３に嵌めて使用する。
【０００４】
図２４に示すように、カナル型イヤホン３００は、ドライバユニット３０１を内蔵したハウジング３０２と、ハウジング３０２から突出した音導管３０３と、音導管３０３の周りに装着されたイヤピース３０４と、を備えている。カナル型イヤホン３００は、イヤピース３０４を外耳道１１０に挿入して使用する。
【先行技術文献】
【特許文献】
【０００５】
【特許文献１】WO2014041604A1
【特許文献２】WO2015170375A1
【発明の概要】
【発明が解決しようとする課題】
【０００６】
硬いハウジングが耳に接触する構造のイヤホンは、長時間使用すると、ハウジングと接触している箇所が痛くなり易いという問題がある。この問題は、従来のインナーイヤー型イヤホン２００とカナル型イヤホン３００のどちらにも共通する問題である。
【０００７】
本発明が解決しようとする課題は、耳への装着感が良好で、長時間着けていても耳に痛みが生じにくい音響装置を提供することにある。
【０００８】
本発明が解決しようとする別の課題は、耳への装着感が良好で、長時間着けていても耳に痛みが生じにくい音響装置の装着方法を提供することにある。
【０００９】
本発明が解決しようとする更に別の課題は、耳への装着感が良好で、長時間着けていても耳に痛みが生じにくい音響装置を用いた広告方法を提供することにある。
【００１０】
本発明が解決しようとする更に別の課題は、耳に装着される音響装置の音響特性を容易に変更することができる音響特性変更方法を提供することにある。
【課題を解決するための手段】
【００１１】
［音響装置］
【００１２】
耳に装着される音響装置であって、
ドライバユニットを収容した収容部と、
その一端側が前記収容部に連結された支持部と、を有し、
前記収容部の一部及び前記支持部の一部は耳に接触する部分であり、
前記耳に接触する部分は柔軟性及び弾力性を有し、
前記収容部の前記一部が外耳道の入り口及び／又はその近傍の第１耳部位に嵌まるとともに前記支持部の前記一部が前記外耳道の入り口及び前記第１耳部位から離間した第２耳部位に接触することにより耳に装着される音響装置。
【００１３】
耳に装着される音響装置であって、
ドライバユニットを収容した収容部と、
前記収容部から延びるコードと、
その一端側が前記収容部に連結された支持部と、を有し、
前記収容部の一部は耳に接触する部分であり、
前記耳に接触する部分は柔軟性及び弾力性を有し、
前記コードは、第１湾曲部及び第２湾曲部を有し、
前記第１湾曲部は、前記収容部の近傍で第１の向きに湾曲した部分であり、
前記第２湾曲部は、前記第１湾曲部から前記第１の向きに延びるとともに前記第１の向きとは逆の第２の向きに湾曲した部分であり、
前記支持部は、前記コードを前記第１湾曲部及び前記第２湾曲部を有する状態に保持するコード保持部を有し、
前記収容部の一部が外耳道の入り口又はその近傍の第１耳部位に嵌まるとともに前記コードの前記第２湾曲部が前記外耳道の入り口及び前記第１耳部位から離間した第２耳部位に接触することにより耳に装着される音響装置。
【００１４】
［音響装置の装着方法］
【００１５】
音響装置の装着方法であって、
前記音響装置は、
ドライバユニットを収容した収容部と、
その一端側が前記収容部に連結された支持部と、を有し、
前記収容部の一部及び前記支持部の一部は耳に接触する部分であり、
前記耳に接触する部分は柔軟性及び弾力性を有し、
前記収容部の前記一部を外耳道の入り口及び／又はその近傍の第１耳部位に嵌めるとともに前記支持部の前記一部を前記外耳道の入り口及び前記第１耳部位から離間した第２耳部位に接触させることにより前記音響装置を耳に装着する、音響装置の装着方法。
【００１６】
音響装置の装着方法であって、
前記音響装置は、
ドライバユニットを収容した収容部と、
前記収容部から延びるコードと、
その一端側が前記収容部に連結された支持部と、を有し、
前記収容部の一部は耳に接触する部分であり、
前記耳に接触する部分は柔軟性及び弾力性を有し、
前記コードは、第１湾曲部及び第２湾曲部を有し、
前記第１湾曲部は、前記収容部の近傍で第１の向きに湾曲した部分であり、
前記第２湾曲部は、前記第１湾曲部から前記第１の向きに延びるとともに前記第１の向きとは逆の第２の向きに湾曲した部分であり、
前記支持部は、前記コードを前記第１湾曲部及び前記第２湾曲部を有する状態に保持するコード保持部を有し、
前記収容部の一部を外耳道の入り口又はその近傍の第１耳部位に嵌めるとともに前記コードの前記第２湾曲部を前記外耳道の入り口及び前記第１耳部位から離間した第２耳部位に接触させることにより前記音響装置を耳に装着する、音響装置の装着方法。
【００１７】
［広告方法］
【００１８】
耳に装着される音響装置の表面を広告領域に使用して広告を行う広告方法であって、
前記音響装置は、
ドライバユニットを収容した収容部と、
その一端側が前記収容部に連結された支持部と、を有し、
前記収容部の一部及び前記支持部の一部は耳に接触する部分であり、
前記耳に接触する部分は柔軟性及び弾力性を有し、
前記支持部は、板状の部材であり、
前記収容部の前記一部が外耳道の入り口及び／又はその近傍の第１耳部位に嵌まるとともに前記支持部の他端側が前記第１耳部位から離間した第２耳部位の皮膚に面接触することにより耳に装着される音響装置であり、
前記音響装置の前記支持部の表面を広告領域に使用して広告を行う、広告方法。
【００１９】
［音響特性変更方法］
【００２０】
耳に装着される音響装置の音響特性変更方法であって、
前記音響装置は、
ドライバユニットを収容した収容部と、
その一端側が前記収容部に連結された支持部と、を有し、
前記収容部の一部及び前記支持部の一部は耳に接触する部分であり、
前記耳に接触する部分は柔軟性及び弾力性を有し、
前記収容部は、前記ドライバユニットを覆うカバーを有し、
前記カバーは、柔軟性及び弾力性を有し、
前記収容部の前記一部が外耳道の入り口及び／又はその近傍の第１耳部位に嵌まるとともに前記支持部の前記一部が前記外耳道の入り口及び前記第１耳部位から離間した第２耳部位に接触することにより耳に装着される音響装置であり、
前記カバーとして、タッチノイズ防止の優先度と低音特性改善の優先度との比が異なる複数種類のカバーを用意しておき、前記カバーを前記比が異なる別のカバーに交換することにより前記音響装置の音響特性を変更する、音響特性変更方法。
【００２１】
耳に装着される音響装置の音響特性変更方法であって、
前記音響装置は、
ドライバユニットを収容した収容部と、
前記収容部から延びるコードと、
その一端側が前記収容部に連結された支持部と、を有し、
前記収容部の一部は耳に接触する部分であり、
前記耳に接触する部分は柔軟性及び弾力性を有し、
前記コードは、第１湾曲部及び第２湾曲部を有し、
前記第１湾曲部は、前記収容部の近傍で第１の向きに湾曲した部分であり、
前記第２湾曲部は、前記第１湾曲部から前記第１の向きに延びるとともに前記第１の向きとは逆の第２の向きに湾曲した部分であり、
前記支持部は、前記コードを前記第１湾曲部及び前記第２湾曲部を有する状態に保持するコード保持部を有し、
前記収容部は、前記ドライバユニットを覆うカバーを有し、
前記カバーは、柔軟性及び弾力性を有し、
前記収容部の一部が外耳道の入り口又はその近傍の第１耳部位に嵌まるとともに前記コードの前記第２湾曲部が前記外耳道の入り口及び前記第１耳部位から離間した第２耳部位に接触することにより耳に装着される音響装置であり、
前記カバーとして、タッチノイズ防止の優先度と低音特性改善の優先度との比が異なる複数種類のカバーを用意しておき、前記カバーを前記比が異なる別のカバーに交換することにより前記音響装置の音響特性を変更する、音響特性変更方法。
【図面の簡単な説明】
【００２２】
【図１Ａ】音響装置の実施形態の正面図
【図１Ｂ】図１Ａに示す音響装置の背面図
【図１Ｃ】図１Ａに示す音響装置の平面図
【図１Ｄ】図１Ａに示す音響装置の底面図
【図１Ｅ】図１Ａに示す音響装置の左側面図
【図１Ｆ】図１Ａに示す音響装置の右側面図
【図２】図１Ａに示す音響装置の断面図
【図３】図１に示す音響装置を耳に装着した状態を示す正面図
【図４】図１に示す音響装置を耳に装着した状態を示す模式断面図
【図５Ａ】音響装置の別の実施形態の正面図
【図５Ｂ】図５Ａに示す音響装置の背面図
【図５Ｃ】図５Ａに示す音響装置の平面図
【図５Ｄ】図５Ａに示す音響装置の底面図
【図５Ｅ】図５Ａに示す音響装置の左側面図
【図５Ｆ】図５Ａに示す音響装置の右側面図
【図６】図５Ａに示す音響装置の収容部の透視図
【図７Ａ】図６に示す収容部の本体の正面図
【図７Ｂ】図６に示す収容部の蓋ねじの側面図
【図７Ｃ】図５Ａに示す音響装置の支持部の正面図
【図８】図５Ａに示す音響装置を耳に装着した状態を示す正面図
【図９】図５Ａに示す音響装置を耳に装着した状態を示す模式断面図
【図１０Ａ】音響装置の別の実施形態の正面図
【図１０Ｂ】図１０Ａに示す音響装置の背面図
【図１０Ｃ】図１０Ａに示す音響装置の平面図
【図１０Ｄ】図１０Ａに示す音響装置の底面図
【図１０Ｅ】図１０Ａに示す音響装置の左側面図
【図１０Ｆ】図１０Ａに示す音響装置の右側面図
【図１１】図１０Ａに示す音響装置の要部断面図
【図１２】図１０Ａに示す音響装置を耳に装着した状態を示す正面図
【図１３】図１０Ａに示す音響装置を耳に装着した状態を示す模式断面図
【図１４Ａ】音響装置の別の実施形態の正面図
【図１４Ｂ】図１０Ａに示す音響装置の背面図
【図１４Ｃ】図１０Ａに示す音響装置の平面図
【図１４Ｄ】図１０Ａに示す音響装置の底面図
【図１４Ｅ】図１０Ａに示す音響装置の左側面図
【図１４Ｆ】図１０Ａに示す音響装置の右側面図
【図１５】図１０Ａに示す音響装置を耳に装着した状態を示す正面図
【図１６】図１０Ａに示す音響装置を耳に装着した状態を示す模式断面図
【図１７】広告方法の実施形態の説明図
【図１８】音響特性変更方法の実施形態の説明図
【図１９Ａ】音響装置の別の実施形態の正面図
【図１９Ｂ】図１９Ａに示す音響装置の背面図
【図２０Ａ】音響装置の別の実施形態の正面図
【図２０Ｂ】図２０Ａに示す音響装置の背面図
【図２０Ｃ】図２０Ａに示す音響装置の断面図
【図２１】図２０Ａに示す音響装置を耳に装着した状態を示す正面図
【図２２Ａ】音響装置の別の実施形態の正面図
【図２２Ｂ】図２２Ａに示す音響装置の背面図
【図２３】インナーイヤー型イヤホンを耳に装着した状態を示す図
【図２４】カナル型イヤホンを耳に装着した状態を示す図
【発明を実施するための形態】
【００２３】
［第１実施形態］
第１実施形態に係る音響装置１について説明する。
図１Ａ乃至図１Ｆ及び図２に示す音響装置１は、耳１００に装着して使用する音響装置（以下、イヤホンと記す）である。イヤホン１は、左耳用であり、右耳用のイヤホン（図示省略）と通常ペアで使用される。両イヤホンの構造は、左右対称である。以下、左耳用のイヤホン１について説明する。左耳用と右耳用のどちらか一方のイヤホンを単体で使用することも可能である。
【００２４】
イヤホン１は、ドライバユニット１０と、ドライバユニット１０を収容した球状の収容部２０と、その一端３０ａ側が収容部２０に連結された支持部３０と、本体（ハウジング）４０と、を有する。
【００２５】
ドライバユニット１０は、電気音響変換器である。ドライバユニット１０の例として、ダイナミック型のドライバユニット及びＢＡ型ドライバユニットを挙げることができる。
【００２６】
収容部２０の一部及び支持部３０の一部は耳１００に接触する部分１ａである。
耳１００に接触する部分１ａは柔軟性及び弾力性を有する。
【００２７】
支持部３０は、収容部２０から延びる棒状部３１と、棒状部３１の端に設けられた球状の支持端部３２と、を有する。
【００２８】
棒状部３１は、収容部２０と支持端部３２とを構造的に接続している。
支持端部３２は、収容部２０よりも小径である。
棒状部３１の幅サイズＬ１、Ｌ２は、支持端部３２の直径Ｄよりも小さい。
収容部２０及び支持端部３２の表層は柔軟性及び弾力性を有する。
【００２９】
本体４０は、合成樹脂によって形成される。本体４０は、その一端部４１が収容部２０の一部を成し、その他端部４２が支持端部３２の一部を成し、その中間部４３が棒状部３１を成す。
【００３０】
本体４０の一端部４１は、フランジ部４１ａとドーム部４１ｂとを有する。フランジ部４１ａは、中間部４３の一端４３ａから部分球体状に拡径している。ドーム部４１ｂは、フランジ部４１ａの端面４１ｄから中間部４３と同軸に突出している。ドーム部４１ｂは、中間部４３と同軸の円筒部４１ｂａと、円筒部４１ｂａの先端に設けられた半球殻部４１ｂｂとからなる。
【００３１】
ドライバユニット１０は、ドーム部４１ｂに収容され、図示しない保持部に保持されている。ドーム部４１ｂの大部分は、音声透過部材４１ｃで構成されている。音声透過部材４１ｃの例として、複数の貫通孔（音声透過孔）を有する部材、網状の部材、等を挙げることができる。
【００３２】
本体４０の他端部４２は、球形状に形成されている。
【００３３】
収容部２０は、第１カバー２１を有する。
支持端部３２は、第２カバー３３を有する。
【００３４】
第１カバー２１は、本体４０の一端部４１のドーム部４１ｂに取り付けられている。第１カバー２１は、ドーム部４１ｂを覆っている。第１カバー２１の外部形状は、部分球体状である。第１カバー２１は、ドーム部４１ｂを収容する空間２１ａを有する。第１カバー２１は、フランジ部４１ａの端面４１ｄと接する端面２１ｂを有する。端面２１ｂの外径は、フランジ部４１ａの外径と同寸である。第１カバー２１が、ドーム部４１ｂに取り付けられ、第１カバー２１の端面２１ｂがフランジ部４１ａの端面４１ａｂと接することにより、球状の収容部２０が形成される。
【００３５】
第２カバー３３は、本体４０の他端部４２に取り付けられている。第２カバー３３は、他端部４２を覆っている。第２カバー３３の外部形状は、略球体状である。第２カバー３３は、他端部４２を収容する空間３３ａを有する。第２カバー３３が、他端部４２に取り付けられることにより、球状の支持端部３２が形成される。
【００３６】
第１カバー２１及び第２カバー３３は、柔軟性及び弾力性を有する。
【００３７】
第１カバー２１の素材の例として、連続気泡構造を有するスポンジを挙げることができる。当該連続気泡構造は、ほとんどまたは全ての隣接する球状気泡間に貫通孔を有する連続気泡構造であってもよいし、貫通孔の数が比較的多い半独立半連続気泡構造であってもよい（以下同様）。この種の連続気泡構造を有するスポンジからなる第１カバー２１は、通気性が高い。
【００３８】
第１カバー２１の素材の別の例として、貫通孔の数が比較的少ない半独立半連続気泡構造を有するスポンジを挙げることができる。この種のスポンジとして、ポリウレタンを半独立半連続気泡構造で発泡させてなるスポンジを挙げることができる（以下同様）。この種のスポンジからなる第１カバー２１は、通気性が低い。この種のスポンジには、低反発ポリウレタンが含まれる。低反発ポリウレタンからなる第１カバー２１は、圧縮されると変形し、圧縮されなくなると、元の形状にゆっくりと戻る。
【００３９】
イヤホン１は、有線タイプでも無線タイプでもあり得る。
【００４０】
有線タイプの場合、イヤホン１は、図示しないコードを有する。コードは、図示しない再生装置からの電気信号をドライバユニット１０に伝達する。ドライバユニット１０は、伝達された電気信号を音響に変換し、放音部１０ａから放音する。コードの一端は、ドライバユニット１０の信号端子に接続されている。コードの他端側は、例えば、中間部４３から本体４０の外に延びる。
【００４１】
無線タイプの場合、イヤホン１は、図示しない無線モジュールを備える。無線モジュールは、ドライバユニット１０とともに、本体４０に収容される。無線モジュールは、受信部と電池と操作部と制御部とを有する（何れも図示省略）。受信部は、送信器（オーディオプレイヤ、スマートフォン、等、オーディオコンテンツ提供装置）から無線送信された信号を受信する。受信部と送信器との間の通信プロトコルとして、Ｗｉ−Ｆｉ（登録商標）、ブルートゥース（登録商標）、または他のプロトコルを使用することができる。受信部は、受信した信号を電気信号に変換する。受信部は、変換した電気信号をドライバユニット１０に入力する。ドライバユニット１０は、入力された電気信号を音響に変換し、放音部１０ａから放音する。電池は、ドライバユニット１０及び制御部に電力を供給する。制御部は、操作部に対してなされる操作に応じて、電池からの電力の供給をオン／オフさせたり、受信部による電気信号の出力を増減させたりする。
【００４２】
図３及び図４に示すように、イヤホン１は、収容部２０が外耳道１１０の入り口１１２の近傍の第１耳部位（耳１００の開口部の窪み）１００ａに嵌まるとともに支持部３０の一部である支持端部３２が外耳道１１０の入り口１１２及び第１耳部位１００ａから離間した第２耳部位（耳輪の内側の窪み）１００ｂに係合することにより耳１００に装着される。
【００４３】
なお、第１耳部位１００ａを外耳道１１０の入り口１１２とするならば、上記の文における、「外耳道１１０の入り口１１２の近傍の第１耳部位（耳１００の開口部の窪み）１００ａ」は、「外耳道１１０の入り口１１２」と読み替えられる（以下同様）。また、「外耳道１１０の入り口１１２及び第１耳部位１００ａ」は「外耳道１１０の入り口１１２」と読み替えられる（以下同様）。
【００４４】
収容部２０が外耳道１１０の入り口１１２の近傍の第１耳部位１００ａに嵌まることにより、ドライバユニット１０の放音部１０ａが外耳道１１０の入り口１１２付近に配置される。そして、ドライバユニット１０から発せられた音が音声透過部材４１ｃ及び第１カバー２１を透過して外耳道１１０内に放音される。音導管３０３及びイヤピース３０４（図２４参照）が存在しないため、外耳道１１０の入り口１１２又はその付近にてドライバユニット１０から発せられた再生音が、音声透過部材４１ｃ及び第１カバー２１を透過して外耳道１１０の皮膚やその周辺の骨に伝達される。
【００４５】
よって、イヤホン１によれば、ドライバユニット１０から発せられた音を、外耳道１１０周辺の音を感じる部分の能力を最大限に活用して、自然な音響として認知することができる。
【００４６】
また、イヤホン１によれば、ドライバユニット１０の放音部１０ａが外耳道１１０の入り口１１２付近に配置されるので、ドライバユニット１０から発せられる音を効率良く外耳道１１０に導くことができる。よって、小寸（小出力）のドライバユニット１０を使用しているにもかかわらず、その再生音を自然な音響として認知できる。
【００４７】
また、イヤホン１は、音導管３０３（図２４参照）を使用しないため、ドライバユニット１０から聴覚器官に伝達される音域が制限されない。よって、ドライバユニット１０の性能を十分に発揮させることができる。
【００４８】
このイヤホン１において、耳に接触する部分１ａは、収容部２０の表層をなす第１カバー２１及び支持端部３２の表層をなす第２カバー３３だけである（図２参照）。第１カバー２１及び第２カバー３３は柔軟性及び弾力性を有する。よって、イヤホン１は、耳への装着感が良好で、長時間着けていても耳に痛みが生じにくい。
【００４９】
通気性が高いスポンジ材からなる第１カバー２１を備えたイヤホン１は、外耳道１１０を気密に密閉しない。このためタッチノイズが発生しにくい。
【００５０】
低反発ポリウレタンからなる第１カバー２１を備えたイヤホン１は、ドライバユニット１０と第１耳部位１００ａ（第１カバー２１が外耳道１１０の入り口１１２に嵌まっている場合には、外耳道１１０の内壁１１０ａ及び第１耳部位１００ａ）とを、本体４０の一端部４１及び第１カバー２１を介して振動伝達可能に接続する。このため、低反発ポリウレタンからなる第１カバー２１を備えたイヤホン１は、図２４に示したカナル型イヤホン３００と比較して中低音再現性が良い。また、第１カバー２１が非貫通型であることにより、イヤホン１は、貫通型のカバーを備えたものと比較して低音再現性が良い。これは、第１カバー２１が、比較的高域の音に対する遮音性（吸音性）が高い性質を持つことによる。すなわち、ドライバユニット１０の放音部１０ａから出た音は、第１カバー２１を経ることにより、高域成分に対し低域成分が相対的に増幅される。
【００５１】
また、低反発ポリウレタンからなる第１カバー２１を備えたイヤホン１は、ドライバユニット１０の振動（放音部１０ａから出た音及びドライバユニット１０自体の振動を含む）を、本体４０の一端部４１及び第１カバー２１を介して外耳道１１０の内壁１１０ａに伝達し得るので、ドライバユニット１０による再生音を、空気の振動のみならず、皮膚及び骨の振動によって、聴覚器官（耳小骨、渦巻管、等）に伝達することができる。このことは、再生音の可聴性に極めて有利に働く。
【００５２】
また、低反発ポリウレタンからなる第１カバー２１を備えたイヤホン１は、そのドライバユニット１０の全体が低反発ポリウレタンからなる第１カバー２１により覆われているため、マイク（拾音装置）との併用に適している。すなわち、マイクにより拾音した音声をイヤホン１で再生する場合における、ハウリングの発生を防止し得る。これは、低反発ポリウレタン（粘弾性フォーム）からなる第１カバー２１が、ドライバユニット１０からの音声に含まれるピーク周波数（ハウリングのトリガとなる周波数）の音を減衰させる効果を有するためである。また、非貫通型の第１カバー２１は、貫通型のものと比較してハウリング防止性能が良い。
【００５３】
［第２実施形態］
次に、第２実施形態に係るイヤホン２について説明する。
図５Ａ乃至図５Ｆ、図６及び図７Ａ乃至図７Ｃに示すイヤホン２は、左耳用であり、左耳用のイヤホン（図示省略）と通常ペアで使用される。両イヤホンの構造は、左右対称である。以下、左耳用のイヤホン２について説明する。左耳用と右耳用のどちらか一方のイヤホンを単体で使用することも可能である。
【００５４】
イヤホン２は、ドライバユニット１０と、ドライバユニット１０を収容した収容部５０と、その一端６０ａ側が収容部５０に連結された薄板状の支持部６０と、を有する。
【００５５】
収容部５０の表層は柔軟性及び弾力性を有する。
収容部５０の形状は球形である。
【００５６】
収容部５０は、ドライバユニット１０を覆うカバー５１を有する。
カバー５１は、柔軟性及び弾力性を有する。カバー５１は、収容部５０の表層を成す。
【００５７】
収容部５０は、本体（ハウジング）７０を有する。本体７０は、合成樹脂によって形成される。本体７０は、カバー５１よりも高い剛性を有する。本体７０は、その大部分をなす球体部７１と、球体部７１と一体成型された環状部７２と、を有する。球体部７１は、中空構造になっており、その一部に開口部を有している。環状部７２は、球体部７１の開口部を縁取るようにして設けられている。環状部７２は雌ねじ構造になっている。
【００５８】
環状部７２には、蓋ねじ７３が取り付けられる。蓋ねじ７３は、球体部７１と同一又は略等しい曲率を有する蓋部７３ａと、蓋部７３ａと一体成型された環状部７３ｂと、を有する。環状部７３ｂは雄ねじ構造になっている。蓋ねじ７３の環状部７３ｂは、本体７０の環状部７２に螺合する。
【００５９】
支持部６０は柔軟性を有する。支持部６０の素材の例として、ゴム、皮革、樹脂、等を挙げることができる。支持部６０は、四隅が丸みを帯びた長方形である。支持部６０の一端６０ａ近傍には、貫通孔６１が設けられている。貫通孔６１には、蓋部７３ａの環状部７３ｂが挿通される。支持部６０は、貫通孔６１に蓋部７３ａの環状部７３ｂを挿通するとともに、環状部７３ｂを本体７０の環状部７２に螺合させて締め付けることにより、本体７０に固定されている。すなわち、支持部６０は、蓋ねじ７３の蓋部７３ａと本体７０の環状部７２との間に挟まれた状態で、本体７０に固定されている。
【００６０】
ドライバユニット１０は、球体部７１に収容されている。球体部７１の一部は、音声透過部材７１ａで構成されている。音声透過部材７１ａの例として、複数の貫通孔（音声透過孔）を有する部材、網状の部材、等を挙げることができる。
【００６１】
本体７０は、カバー５１で覆われている。カバー５１の素材の例として、連続気泡構造を有するスポンジを挙げることができる。連続気泡構造を有するスポンジからなるカバー５１は、通気性が高い。
【００６２】
カバー５１の素材の別の例として、貫通孔の数が比較的少ない半独立半連続気泡構造を有するスポンジを挙げることができる。この種のスポンジからなるカバー５１は、通気性が低い。この種のスポンジには、低反発ポリウレタンが含まれる。低反発ポリウレタンからなるカバー５１は、圧縮されると変形し、圧縮されなくなると、元の形状にゆっくりと戻る。
【００６３】
イヤホン２は、有線タイプでも無線タイプでもあり得る。
【００６４】
有線タイプの場合、イヤホン２は、図示しないコードを有する。コードの一端は、ドライバユニット１０の信号端子に接続されている。コードの他端側は、例えば、本体７０から下方に引き出され、カバー５１に設けられた貫通孔を通して外に延びる。
【００６５】
無線タイプの場合、イヤホン２は、図示しない無線モジュールを備える。無線モジュールは、ドライバユニット１０とともに、本体７０に収容される。
【００６６】
図８及び図９に示すように、イヤホン２は、収容部５０が外耳道１１０の入り口１１２の近傍の第１耳部位（耳１００の開口部の窪み）１００ａに嵌まるとともに支持部６０の他端６０ｂ側が湾曲変形して外耳道１１０の入り口１１２及び第１耳部位１００ａから離間した第２耳部位（耳輪の内側の窪み）１００ｂの皮膚１００ｓに面接触することにより耳１００に装着される。
【００６７】
イヤホン２は、耳１００に接触する部分２ａがカバー５１及び支持部６０であり（図５Ａ乃至図５Ｆ参照）、カバー５１が柔軟性及び弾力性を有し、支持部６０が柔軟性を有して耳１００の皮膚１００ｓに面接触するので、耳１００への装着感が良好で、長時間着けていても耳に痛みが生じにくい。イヤホン２のその他の効果は、イヤホン１と略同様である。
【００６８】
なお、支持部６０の他端６０ｂ側の少なくとも一部を、粘着層を介して皮膚に付着させることにより、イヤホン２の脱落を極めて効果的に防止できる。これは、スポーツ時などにイヤホン２を使用する場合に極めて有利である。
【００６９】
［第３実施形態］
次に、第３実施形態に係るイヤホン３について説明する。
図１０Ａ乃至図１０Ｆ及び図１１乃至図１３に示すイヤホン３は、左耳用であり、右耳用のイヤホン（図示省略）と通常ペアで使用される。両イヤホンの構造は、左右対称である。以下、左耳用のイヤホン３について説明する。左耳用と右耳用のどちらか一方のイヤホンを単体で使用することも可能である。
【００７０】
イヤホン３は、ドライバユニット１０と、ドライバユニット１０を収容した収容部８００と、収容部８０から延びるコード８５と、支持部９０と、を有する。
【００７１】
収容部８０の表層は柔軟性及び弾力性を有する。
コード８５は、第１湾曲部８５ａ及び第２湾曲部８５ｂを有する。
第１湾曲部８５ａは、収容部８０の近傍で上向き（第１の向き）に湾曲した部分である。
第２湾曲部８５ｂは、第１湾曲部８５ａから更に上向き（第１の向き）に延びるとともに下向き（第１の向きとは逆の第２の向き）に湾曲した部分である。
【００７２】
収容部８０は、本体（ハウジング）８１とカバー８２とを有する（図１１参照）。
本体８１は、楕円錘台形である。本体８１の内部には、楕円錘台形の空間が形成されている。本体８１にドライバユニット１０が収容されている。ドライバユニット１０の放音部１０ａは、本体８１の小径側開口部から外側に臨んでいる。本体８１の小径側開口部には、音声透過材８３が設けられている。音声透過材８３の例として、複数の貫通孔（音声透過孔）を有する部材、網状の部材、等を挙げることができる。
【００７３】
本体８１はカバー８２で覆われている。すなわちカバー８２は、収容部８０の表層を成す。カバー８２は、柔軟性及び弾力性を有する。カバー８２の素材の例として、連続気泡を有するスポンジを挙げることができる。連続気泡を有するスポンジからなるカバー８２は、通気性を有する。カバー８２の素材の別の例として、通気性を有する低反発ポリウレタンを挙げることができる。低反発ポリウレタンからなるカバー８２は、圧縮されると変形し、圧縮されなくなると、元の形状にゆっくりと戻る。
【００７４】
支持部９０は、その一端９０ａ側が収容部８０に連結された板状の部材である。支持部９０の右側面に本体８１が固定されている。支持部９０と本体８１の互いの固定方法の例として接着を挙げることができる。
【００７５】
支持部９０は柔軟性を有する。支持部９０の他端部９０ｂは、収容部８０から後方に延びている。支持部９０の他端部９０ｂは、円弧状に形成されている。支持部９０の素材の例として、ゴム、皮革、樹脂、等を挙げることができる。
【００７６】
支持部９０は、コード８５を第１湾曲部８５ａ及び第２湾曲部８５ｂを有する状態に保持する第１コード保持部９１及び第２コード保持部９２を有する。
第１コード保持部９１及び第２コード保持部９２は、支持部９０内に形成された貫通路である。第１コード保持部９１及び第２コード保持部９２は、支持部９０の厚み方向中間位置に設けられている。
第１コード保持部９１の一端９１ａは、収容部８０内に開口している（図１１参照）。第１コード保持部９１の他端９１ｂは、支持部９０の上端９０ｃに開口している。
第２コード保持部９２の一端９２ａは、支持部９０の上端９０ｃに開口している。第２コード保持部９２の他端９２ｂは、支持部９０の下端９０ｄに開口している。
【００７７】
図１２及び図１３に示すように、イヤホン３は、収容部８０が外耳道１１０の入り口１１２の近傍の第１耳部位（耳１００の開口部の窪み）１００ａに嵌まるとともにコード８５の第２湾曲部８５ｂが外耳道１１０の入り口１１２及び第１耳部位１００ａから離間した第２耳部位（耳甲介腔の上方の窪み）１００ｂに係合し、且つ、支持部９０が第１耳部位１００ａ及び第２耳部位１００ｂから離間した第３耳部位（耳輪の内側の窪み）１００ｃの皮膚１００ｓに面接触することにより耳１００に装着される。
【００７８】
イヤホン３は、耳１００に接触する部分３ａが、カバー８２、コード８５及び支持部９０であり、カバー８２が柔軟性及び弾力性を有し、コード８５が柔軟性を有し、そして支持部９０が柔軟性を有して耳１００の皮膚１００ｓに面接触するので、耳１００への装着感が良好で、長時間着けていても耳に痛みが生じにくい。イヤホン３のその他の効果は、イヤホン１と略同様である。
【００７９】
なお、収容部８０の形状は、第２実施形態の収容部５０のように球形であってもよい。
【００８０】
［第４実施形態］
次に、第４実施形態に係るイヤホン４について説明する。
図１４Ａ乃至図１４Ｆ、図１５及び図１６に示すイヤホン４は、左耳用であり、右耳用のイヤホン（図示省略）と通常ペアで使用される。両イヤホンの構造は、左右対称である。以下、左耳用のイヤホン４について説明する。左耳用と右耳用のどちらか一方のイヤホンを単体で使用することも可能である。
【００８１】
イヤホン４は、ドライバユニット１０と、ドライバユニット１０を収容した収容部８６と、収容部８６から延びるコード８５と、支持部９５と、を有する。
【００８２】
収容部８６の表層は柔軟性及び弾力性を有する。収容部８６は、本体８７とカバー８８とを有する。本体８７は、第３実施形態における本体８１（図１１参照）と同様の構造を有している。本体８７は、楕円錘台形である。本体８７の内部には、楕円錘台形の空間が形成されている。本体８７にドライバユニット１０が収容されている。ドライバユニット１０の放音部１０ａは、本体８７の小径側開口部から外側に臨んでいる。本体８７の小径側開口部には、音声透過材８３（図１１参照）が設けられている。
【００８３】
本体８７はカバー８８で覆われている。すなわちカバー８８は、収容部８６の表層を成す。カバー８８は、柔軟性及び弾力性を有する。
【００８４】
カバー８８の素材の例として、連続気泡構造を有するスポンジを挙げることができる。連続気泡構造を有するスポンジからなるカバー８８は、通気性が高い。
【００８５】
カバー８８の素材の別の例として、貫通孔の数が比較的少ない半独立半連続気泡構造を有するスポンジを挙げることができる。この種のスポンジからなるカバー８８は、通気性が低い。この種のスポンジには、低反発ポリウレタンが含まれる。低反発ポリウレタンからなるカバー８８は、圧縮されると変形し、圧縮されなくなると、元の形状にゆっくりと戻る。
【００８６】
支持部９５は、その一端９５ａ側が収容部８６に連結されたリング状（前端部が欠けたリング状）の部材である。支持部９５の前端部に連結部９６を介して本体８７が固定されている。支持部９５と連結部９６とにより、完全なリングが形成されている。支持部９５が柔軟性及び弾力性を有する。支持部９５は、カバー８８よりも高い剛性を有する。
【００８７】
支持部９５は、その外周にコード保持部９７を有する。コード保持部９７は、第１保持孔９７ａ及び第２保持孔９７ｂと、第１保持溝９７ｃ及び第２保持溝９７ｄ、とからなる。第１保持孔９７ａは、本体８７の内部空間から支持部９５内を通って第１保持溝９７ｃに連通している。第１保持溝９７ｃは、支持部９５の上端部に設けられている。第２保持孔９７ｂは、第１保持溝９７ｃから支持部９５内を通って第２保持溝９７ｄに連通している。第２保持溝９７ｄは、支持部９５の後端の若干下側の位置から下端近傍に延びている。
【００８８】
コード８５の一端は、ドライバユニット１０の信号端子に接続されている。コード８５の他端側は、本体８７から引き出され、支持部９５のコード保持部９７を通して外に延びる。
【００８９】
コード８５の一部は、第１保持溝９７ｃから支持部９５の上方に引き出すことが可能である。コード８５の一部が第１保持溝９７ｃから支持部９５の上方に引き出されることにより、第３実施形態と同様に、コード８５に、第１湾曲部８５ａ及び第２湾曲部８５ｂが形成される（図１０Ａ、図１０Ｂ、図１４Ｅ、図１４Ｆ及び図１５参照）。
【００９０】
コード８５の別の一部は、第２保持溝９７ｄから支持部９５の後方に引き出すことが可能である。コード８５の別の一部が第２保持溝９７ｄから支持部９５の後方に引き出されることにより、コード８５に、第３湾曲部８５ｃ及び第４湾曲部８５ｄが形成される（図１５参照）。第３湾曲部８５ｃは、支持部９５から後ろ向き（第３の向き）に湾曲した部分である。第４湾曲部８５ｄは、第３湾曲部８５ｃから更に後向き（第３の向き）に延びるとともに下向き（第３の向きとは逆の第４の向き）に湾曲した部分である。
【００９１】
支持部９５は、コード８５を第１湾曲部８５ａ、第２湾曲部８５ｂ、第３湾曲部８５ｃ及び第４湾曲部８５ｄを有する状態に保持する。
【００９２】
図１５及び図１６に示すように、イヤホン４は、収容部８６が外耳道１１０の入り口１１２の近傍の第１耳部位（耳１００の開口部の窪み）１００ａに嵌まるとともにコード８５の第２湾曲部８５ｂが第１耳部位１００から離間した第２耳部位（耳甲介腔の上方の窪み）１００ｂに係合し、且つ、支持部９５及びコード８５の第４湾曲部８５ｄが第１耳部位１００及び第２耳部位１００ｂから離間した第３耳部位（耳輪の内側の窪み）１００ｃに係合することにより耳１００に装着される。
【００９３】
イヤホン４は、耳１００に接触する部分４ａがカバー８８、コード８５及び支持部９５であり、カバー８８が柔軟性及び弾力性を有し、コード８５が柔軟性を有し、そして支持部９５が柔軟性及び弾力性を有するので、耳への装着感が良好で、長時間着けていても耳に痛みが生じにくい。イヤホン４のその他の効果は、イヤホン１と略同様である。
【００９４】
なお、収容部８６の形状は、第２実施形態の収容部５０のように球形であってもよい。
【００９５】
［第５実施形態］
次に、第５実施形態について説明する。
図１７に示すイヤホン５は、支持部６０の表面６０ｃを広告領域６０ｒに使用する。支持部６０の表面６０ｃには、広告を行う企業や店など広告主のシンボルマーク、ロゴタイプ、商標、等が付される。この例では、支持部６０の表面６０ｃ及び蓋ねじ７３の蓋部７３ａの表面７３ｃが灰色に着色されている。そして、支持部６０の表面６０ｃに、「ＩＮＡＩＲ」という商標６０ｍが白く付されている。支持部６０の表面６０ｃ及び蓋部７３ａの表面７３ｃの着色及び文字は、印刷、シール貼着、刻印、レーザ印字、等、何らかの方法を用いて表現されたものである。イヤホン５のその他の構成は、第２実施形態に係るイヤホン２と同様である。
【００９６】
このように、板状の支持部６０の表面６０ｃを広告領域６０ｒに使用することで、新規な広告方法を実現し得る。支持部６０が板状であることにより、比較的広い面積の広告領域６０ｒを確保することができる。支持部６０の表面６０ｃ及び蓋ねじ７３の蓋部７３ａの表面７３ｃを広告領域６０ｒに使用することで、より広い面積の広告領域６０ｒを確保することができる。支持部６０の表面６０ｃは、平らであるので、そこにシンボルマークやロゴタイプ等を容易に付すことができる。
【００９７】
［第６実施形態］
次に、第６実施形態について説明する。
図１８において、10:0、9:1、5:5、7:3及び0:10は、カバー（カバー２１、５１、８２、８８）の特性の種類（音響特性ラインナップ）を示している。Ｘ:Ｙは、タッチノイズ防止の優先度（Ｘ）と低音特性改善の優先度（Ｙ）との比（以下、「ＩＳ比」と記す）である。「ＩＳ比」の「Ｉ」はINAIR（登録商標）を、「Ｓ」はSoundPlug（登録商標）を、それぞれ意味する。
【００９８】
「INAIR」は、ドライバユニットを外耳道の中又は外耳道の入り口近傍に柔軟性、弾力性及び通気性を有するカバー（スポンジ）を介して空中に浮いた状態で保持するタイプのイヤホンの総称である。
「SoundPlug」は、ドライバユニットと外耳道の内壁とを柔軟性及び弾力性を有するカバー（スポンジ）等を介して振動伝達可能に連結するタイプのイヤホンの総称である。
【００９９】
ＩＳ比は、カバーの通気性の程度を示す。カバーの通気性の程度は、カバーを構成するスポンジの単位体積に含まれる貫通孔の数及び又は貫通孔の断面積の比で表される。
【０１００】
ＩＳ比が10:0のカバーは、音響特性ラインナップの中で最も高い通気性（最も低い気密性）を有する。このため、ＩＳ比が10:0のカバーを備えたイヤホン（INAIR100）は、タッチノイズが最も発生し難い、外部の音を最も聴き取りやすい、装着感が最も良いといった特長を有する。その反面、低音特性が最も良くない、音漏れが最も発生しやすい、といった欠点を有する。
【０１０１】
ＩＳ比が0:10のカバーは、音響特性ラインナップの中で最も高い気密性（最も低い通気性）を有する。このため、ＩＳ比が0:10のカバーを備えたイヤホン（SoundPlug100）は、低音特性が最も良いという特長を有する。その反面、タッチノイズが最も発生し易い。
【０１０２】
ＩＳ比が中間値（9:1、5:5、7:3）のカバーは、それぞれのＩＳ比が示す割合で通気性と気密性とを併せ持つ。このため、ＩＳ比が中間値（9:1、5:5、7:3）のカバーを備えたイヤホンは、それぞれのＩＳ比が示す割合でINAIR100とSoundPlug100の特長を併せ持つ。
【０１０３】
このように、カバー（カバー２１、５１、８２、８８）として、ＩＳ比が異なる複数種類のカバーを用意しておき、イヤホン（イヤホン１乃至５）のカバーをＩＳ比が異なる別のカバーに交換することにより、ドライバユニット１０を変更することなく、そのイヤホン（イヤホン１乃至５）の音響特性を変更することができる。
【０１０４】
なお、本発明の実施形態は上記の実施形態に限定されるものではなく、本発明の技術的思想の趣旨を逸脱しない範囲において様々に変更、置換、変形されてもよい。
【０１０５】
例えば、第１実施形態では、棒状部３１の幅サイズ（縦幅）Ｌ２が支持端部３２の直径Ｄよりも小さくなっているが（図１Ａ参照）、同じでもよい。
【０１０６】
また、第１実施形態では、第１カバー２１とフランジ部４１ａとが一体となって球状の収容部２０を成す構成としたが、本体４０の一端部４１が収容部２０の中核を成し、一端部４１を全体的に第１カバー２１で覆うことで、球状の収容部２０を成す構成としてもよい。この場合、当該中核を成す一端部４１内にドライバユニット１０が設けられる。第１カバー２１の外部形状は球形であることが望ましい。一端部４１の形状は球形であっても楕円球体形状などその他の形状であってもよい。また、本体４０の他端部４２についても同様である。すなわち、他端部４２が支持端部３２の中核を成し、他端部４２を第２カバー３３で覆うことで、球状の支持端部３２を成す構成としてもよい。第１カバー３３の外部形状は球形であることが望ましい。
【０１０７】
また、第２実施形態及び第５実施形態では、支持部６０の正面視形状は、四隅が丸みを帯びた長方形であるが、図１９Ａ及び図１９Ｂに例示するようなオーバル形状であってもよい。
【０１０８】
また、第３実施形態では、第１コード保持部９１及び第２コード保持部９２は、貫通路として支持部９０内に形成されているが、支持部９０の正面又は背面に形成されてもよい。
【０１０９】
また、第４実施形態では、支持部９５と連結部９６とにより、完全なリングを形成しているが、図２０Ａ乃至図２０Ｃに例示するイヤホン６のように、支持部９５自体をリング形状としてもよい。
【０１１０】
イヤホン６は球形の収容部８９を有する。収容部８９は、図２０Ｃに示すように、球状の本体（ハウジング）７５と、本体７５を覆う球形のカバー５２と、を有する。本体７５は、ドーム部７５Ａと蓋部７５Ｂとを有する。ドーム部７５Ａと蓋部７５Ｂとは互いに嵌合して一体となる。ドライバユニット１０は、ドーム部７５Ａに収容され、図示しない保持部に保持されている。ドーム部７５Ａの大部分は、音声透過部材７５Ａｃで構成されている。音声透過部材７５Ａｃの例として、複数の貫通孔（音声透過孔）を有する部材、網状の部材、等を挙げることができる。本体７５は、支持部９５に固定される。支持部９５には、係合凸部９５ｂａが設けられている。蓋部７５Ｂには、係合凹部７５Ｂｂが設けられている。支持部９５の係合凸部９５ｂａと蓋部７５Ｂの係合凹部７５Ｂｂとが互いに係合することにより、支持部９５と本体７５とが互いに固定される。カバー５２は、柔軟性及び弾力性を有する。カバー５２は、ドーム部７５Ａを収容する空間５２ａを有する。カバー５２が、ドーム部７５Ａに取り付けられ、蓋部７５Ｂの周面７５Ｂａと接することにより、球状の収容部８９が形成される。カバー５２の先端部には、貫通孔５２ｂが設けられている。貫通孔５２ｂの存在により、イヤホン６の高音特性が向上する。なお、イヤホン６において、蓋部７５Ｂ及び支持部９５を一体成型してもよい。また、支持部９５が柔軟性及び弾力性を有するカバーで覆われてもよい。更に、収容部８９及び支持部９５が柔軟性及び弾力性を有する一つのカバーで覆われてもよい。その場合、本体７５を覆う球形のカバー５２は省略可能である。
【０１１１】
また、図２２Ａ及び図２２Ｂに示すように、円板状の支持部９８を備えたイヤホン７も本発明の音響装置に属する。イヤホン７の支持部９８以外の構成は、イヤホン６と同様である。イヤホン７においては、本体７５の蓋部７５Ｂが支持部９８に固定される。イヤホン７においても、蓋部７５Ｂ及び支持部９８を一体成型してもよい。また、支持部９８が柔軟性及び弾力性を有するカバーで覆われてもよい。更に、収容部８９及び支持部９８が柔軟性及び弾力性を有する一つのカバーで覆われてもよい。その場合、本体７５を覆う球形のカバー５２は省略可能である。
【０１１２】
［総括］
本明細書には少なくとも以下の事項が記載されている。なお、括弧内には、上記した実施形態において対応する構成要素等を示しているが、これに限定されるものではない。
【０１１３】
（１）  耳（耳１００）に装着される音響装置（イヤホン１乃至７）であって、
ドライバユニット（ドライバユニット１０）を収容した収容部（収容部２０、５０、８０、８６、８９）と、
その一端（一端３０ａ、６０ａ、９０ａ、９５ａ）側が前記収容部に連結された支持部（支持部３０、６０、９０、９５）と、を有し、
前記収容部の一部及び前記支持部の一部は耳に接触する部分（耳に接触する部分１ａ、２ａ、３a、４ａ、５ａ、６ａ）であり、
前記耳に接触する部分（１ａ、２ａ、３ａ、４ａ、５ａ、６ａ、７ａ）は柔軟性及び弾力性を有し、
前記収容部の前記一部が外耳道（外耳道１１０）の入り口（入り口１１２）及び／又はその近傍の第１耳部位（第１耳部位１００ａ）に嵌まるとともに前記支持部の前記一部が前記外耳道の入り口及び前記第１耳部位から離間した第２耳部位（第２耳部位１００ｂ）に接触することにより耳に装着される音響装置。
【０１１４】
（１）によれば、耳への装着感が良好で、長時間着けていても耳に痛みが生じにくい音響装置を提供できる。
【０１１５】
（２）  前記支持部は、前記収容部から延びる棒状部（棒状部３１）と、当該棒状部の端に設けられた球状の支持端部（支持端部３２）と、を有し、
前記球状の支持端部が前記第２耳部位に接触する、（１）の音響装置。
【０１１６】
（２）によれば、収容部の一部が外耳道の入り口及び／又はその近傍の第１耳部位に嵌まるとともに球状の支持端部が第２耳部位に接触することで、装着安定性を向上させることができる。
【０１１７】
（３）  本体（本体４０）を更に有し、
前記本体は、
その一端部（一端部４１）が前記収容部の一部を成し、その他端部（他端部４２）が前記球状の支持端部の一部を成し、その中間部（中間部４３）が前記棒状部を成し、
前記ドライバユニットは、前記本体の前記一端部に保持されている、（２）の音響装置。
【０１１８】
（３）によれば、本体の剛性により、球状の支持端部を第２耳部位に圧接させるとともに、その反力で収容部を外耳道の入り口側に押すことができる。これにより、収容部による外耳道の密閉性を高め、音響装置の低音特性を向上させることができる。
【０１１９】
（４）  前記支持部は、板状の部材であり、
前記支持部（支持部６０）の他端（他端６０ｂ）側が前記第１耳部位から離間した第２耳部位の皮膚（皮膚１００ｓ）に面接触することにより耳に装着される、（１）の音響装置。
音響装置。
【０１２０】
（４）によれば、支持部の接触圧を分散させて、音響装置の装着感をより良好にすることができる。
【０１２１】
（５）  前記支持部（支持部６０）の他端（他端６０ｂ）側の少なくとも一部が粘着層を介して前記皮膚に付着する、（４）の音響装置。
【０１２２】
（５）によれば、音響装置が耳から外れ難くすることができる。この構成は、スポーツなど激しい身体運動時の音響装置の使用に有効である。
【０１２３】
（６）  前記支持部（支持部９５、９８）は、その一端側が前記収容部に連結されたリング状又は円板状の部材である、（１）の音響装置。
【０１２４】
（６）によれば、リング状又は円板状の支持部を備えた新規な構造の音響装置を実現することができる。支持部が、リング状又は円板状であり且つ耳に接触する部分（耳に接触する部分６ａ、７ａ）が柔軟性及び弾力性を有することにより、耳への装着感がより良好になる。
【０１２５】
（７）  耳(耳１００）に装着される音響装置（イヤホン３、４）であって、
ドライバユニット（ドライバユニット１０）を収容した収容部（収容部８０）と、
前記収容部から延びるコード（コード８５）と、
その一端（９０ａ、９５ａ）側が前記収容部に連結された支持部（支持部９０、９５）と、を有し、
前記収容部の一部は耳に接触する部分（耳に接触する部分３a、４ａ）であり、
前記耳に接触する部分（３ａ、４ａ）は柔軟性及び弾力性を有し、
前記コードは、第１湾曲部（第１湾曲部８５ａ）及び第２湾曲部（第２湾曲部８５ｂ）を有し、
前記第１湾曲部は、前記収容部の近傍で第１の向きに湾曲した部分であり、
前記第２湾曲部は、前記第１湾曲部から前記第１の向きに延びるとともに前記第１の向きとは逆の第２の向きに湾曲した部分であり、
前記支持部は、前記コードを前記第１湾曲部及び前記第２湾曲部を有する状態に保持するコード保持部（第１コード保持部９１、第２コード保持部９２、コード保持部９７）を有し、
前記収容部の一部が外耳道（外耳道１１０）の入り口（入り口１１２）又はその近傍の第１耳部位（第１耳部位１００ａ）に嵌まるとともに前記コードの前記第２湾曲部が前記外耳道の入り口及び前記第１耳部位から離間した第２耳部位（第２耳部位１００ｂ）に接触することにより耳に装着される音響装置。
【０１２６】
（７）によれば、耳への装着感が良好で、長時間着けていても耳に痛みが生じにくい音響装置を提供できる。
【０１２７】
（８）  前記支持部は、その一端側が前記収容部に連結された板状又はリング状の部材である、（７）の音響装置。
【０１２８】
（８）によれば、板状又はリング状の支持部を備えた新規な構造の音響装置を実現することができる。板状又はリング状の支持部によりコードを第１湾曲部及び第２湾曲部を有する状態に保持することで、音響装置は耳に安定に装着される。
【０１２９】
（９）  前記収容部は、前記ドライバユニットを覆うカバー（カバー２１、５１、５２、８２、８８）を有し、
前記カバーは、柔軟性及び弾力性を有する、（１）乃至（８）のいずれかの音響装置。
【０１３０】
（９）によれば、柔軟性及び弾力性を有するカバーが外耳道の入り口又はその近傍の第１耳部位に嵌まることで、音響装置の装着感をより良好にすることができる。
【０１３１】
（１０）  前記収容部の形状は球形である、（１）乃至（９）のいずれかの音響装置。
【０１３２】
（１０）によれば、収容部の形状が球形であることにより、多くのユーザの外耳道の入り口又はその近傍の第１耳部位に収容部を良好に嵌合させることができる。
【０１３３】
（１１）  音響装置の装着方法であって、
前記音響装置は、
ドライバユニットを収容した収容部と、
その一端側が前記収容部に連結された支持部と、を有し、
前記収容部の一部及び前記支持部の一部は耳に接触する部分であり、
前記耳に接触する部分は柔軟性及び弾力性を有し、
前記収容部の前記一部を外耳道の入り口及び／又はその近傍の第１耳部位に嵌めるとともに前記支持部の前記一部を前記外耳道の入り口及び前記第１耳部位から離間した第２耳部位に接触させることにより前記音響装置を耳に装着する、音響装置の装着方法。
【０１３４】
（１１）によれば、耳への装着感が良好で、長時間着けていても耳に痛みが生じにくい音響装置の装着方法を提供することができる。
【０１３５】
（１２）  音響装置の装着方法であって、
前記音響装置は、
ドライバユニットを収容した収容部と、
前記収容部から延びるコードと、
その一端側が前記収容部に連結された支持部と、を有し、
前記収容部の一部は耳に接触する部分であり、
前記耳に接触する部分は柔軟性及び弾力性を有し、
前記コードは、第１湾曲部及び第２湾曲部を有し、
前記第１湾曲部は、前記収容部の近傍で第１の向きに湾曲した部分であり、
前記第２湾曲部は、前記第１湾曲部から前記第１の向きに延びるとともに前記第１の向きとは逆の第２の向きに湾曲した部分であり、
前記支持部は、前記コードを前記第１湾曲部及び前記第２湾曲部を有する状態に保持するコード保持部を有し、
前記収容部の一部を外耳道の入り口又はその近傍の第１耳部位に嵌めるとともに前記コードの前記第２湾曲部を前記外耳道の入り口及び前記第１耳部位から離間した第２耳部位に接触させることにより前記音響装置を耳に装着する、音響装置の装着方法。
【０１３６】
（１２）によれば、耳への装着感が良好で、長時間着けていても耳に痛みが生じにくい音響装置の装着方法を提供することができる。
【０１３７】
（１３）  耳に装着される音響装置の表面を広告領域（広告領域６０ｒ）に使用して広告を行う広告方法であって、
前記音響装置は、
ドライバユニットを収容した収容部と、
その一端側が前記収容部に連結された支持部と、を有し、
前記収容部の一部及び前記支持部の一部は耳に接触する部分であり、
前記耳に接触する部分は柔軟性及び弾力性を有し、
前記支持部は、板状の部材であり、
前記収容部の前記一部が外耳道の入り口及び／又はその近傍の第１耳部位に嵌まるとともに前記支持部の他端側が前記第１耳部位から離間した第２耳部位の皮膚に面接触することにより耳に装着される音響装置であり、
前記音響装置の前記支持部の表面（表面６０ｃ）を広告領域に使用して広告を行う、広告方法。
【０１３８】
（１３）によれば、耳への装着感が良好で、長時間着けていても耳に痛みが生じにくい音響装置を用いた広告方法を提供することができる。板状の支持部の表面を広告領域に使用することで、新規な広告方法を実現し得る。
【０１３９】
（１４）  耳に装着される音響装置の音響特性変更方法であって、
前記音響装置は、
ドライバユニットを収容した収容部と、
その一端側が前記収容部に連結された支持部と、を有し、
前記収容部の一部及び前記支持部の一部は耳に接触する部分であり、
前記耳に接触する部分は柔軟性及び弾力性を有し、
前記収容部は、前記ドライバユニットを覆うカバーを有し、
前記カバーは、柔軟性及び弾力性を有し、
前記収容部の前記一部が外耳道の入り口及び／又はその近傍の第１耳部位に嵌まるとともに前記支持部の前記一部が前記外耳道の入り口及び前記第１耳部位から離間した第２耳部位に接触することにより耳に装着される音響装置であり、
前記カバーとして、タッチノイズ防止の優先度と低音特性改善の優先度との比が異なる複数種類のカバーを用意しておき、前記カバーを前記比が異なる別のカバーに交換することにより前記音響装置の音響特性を変更する、音響特性変更方法。
【０１４０】
（１４）によれば、カバーを交換するだけで、ドライバユニット等その他の部材を変更することなく、その音響装置の音響特性を変更することができる。
【０１４１】
（１５）  耳に装着される音響装置の音響特性変更方法であって、
前記音響装置は、
ドライバユニットを収容した収容部と、
前記収容部から延びるコードと、
その一端側が前記収容部に連結された支持部と、を有し、
前記収容部の一部は耳に接触する部分であり、
前記耳に接触する部分は柔軟性及び弾力性を有し、
前記コードは、第１湾曲部及び第２湾曲部を有し、
前記第１湾曲部は、前記収容部の近傍で第１の向きに湾曲した部分であり、
前記第２湾曲部は、前記第１湾曲部から前記第１の向きに延びるとともに前記第１の向きとは逆の第２の向きに湾曲した部分であり、
前記支持部は、前記コードを前記第１湾曲部及び前記第２湾曲部を有する状態に保持するコード保持部を有し、
前記収容部は、前記ドライバユニットを覆うカバーを有し、
前記カバーは、柔軟性及び弾力性を有し、
前記収容部の一部が外耳道の入り口又はその近傍の第１耳部位に嵌まるとともに前記コードの前記第２湾曲部が前記外耳道の入り口及び前記第１耳部位から離間した第２耳部位に接触することにより耳に装着される音響装置であり、
前記カバーとして、タッチノイズ防止の優先度と低音特性改善の優先度との比が異なる複数種類のカバーを用意しておき、前記カバーを前記比が異なる別のカバーに交換することにより前記音響装置の音響特性を変更する、音響特性変更方法。
【０１４２】
（１４５）によれば、耳に装着される音響装置の音響特性を容易に変更することができる。すなわち、カバーを交換するだけで、ドライバユニット等その他の部材を変更することなく、その音響装置の音響特性を変更することができる。
【０１４３】
（１６）  前記タッチノイズ防止の優先度と低音特性改善の優先度との比は、通気性の程度を示す、（１４）又は（１５）の音響特性変更方法。
【０１４４】
（１６）によれば、カバーの通気性の違いにより、音響装置の音響特性を変更することができる。
【符号の説明】
【０１４５】
１  イヤホン（音響装置）
１ａ  耳に接触する部分
２  イヤホン（音響装置）
２ａ  耳に接触する部分
３  イヤホン（音響装置）
３ａ  耳に接触する部分
４  イヤホン（音響装置）
４ａ  耳に接触する部分
５  イヤホン（音響装置）
５ａ  耳に接触する部分
６  イヤホン（音響装置）
６ａ  耳に接触する部分
７  イヤホン（音響装置）
７ａ  耳に接触する部分
１０  ドライバユニット
２０  収容部
２１  第１カバー（カバー）
３０  支持部
３０ａ  一端
４０  本体
４１  一端部
４２  他端部
４３  中間部
５０  収容部
５１  カバー
６０  支持部
６０ａ  一端
６０ｂ  他端
６０ｃ  表面
６０ｒ  広告領域
６０ｍ  商標
８０  収容部
８２  カバー
８５  コード
８５ａ  第１湾曲部
８５ｂ  第２湾曲部
８６  収容部
８８  カバー
８９  収容部
９０  支持部
９０ａ  一端
９１  第１コード保持部（コード保持部）
９２  第２コード保持部（コード保持部）
９５  支持部
９５ａ  一端
９７  コード保持部
９７ａ  第１保持孔
９７ｂ  第２保持孔
９７ｃ  第１保持溝
９７ｄ  第２保持溝
９８  支持部
１００  耳
１００ａ  第１耳部位
１００ｂ  第２耳部位
１００ｓ  皮膚
１１０  外耳道
１１２  入り口
【図１Ａ】
2019140546.tif 000003
【図１Ｂ】
2019140546.tif 000004
【図１Ｃ】
2019140546.tif 000005
【図１Ｄ】
2019140546.tif 000006
【図１Ｅ】
2019140546.tif 000007
【図１Ｆ】
2019140546.tif 000008
【図２】
2019140546.tif 000009
【図３】
2019140546.tif 000010
【図４】
2019140546.tif 000011
【図５Ａ】
2019140546.tif 000012
【図５Ｂ】
2019140546.tif 000013
【図５Ｃ】
2019140546.tif 000014
【図５Ｄ】
2019140546.tif 000015
【図５Ｅ】
2019140546.tif 000016
【図５Ｆ】
2019140546.tif 000017
【図６】
2019140546.tif 000018
【図７Ａ】
2019140546.tif 000019
【図７Ｂ】
2019140546.tif 000020
【図７Ｃ】
2019140546.tif 000021
【図８】
2019140546.tif 000022
【図９】
2019140546.tif 000023
【図１０Ａ】
2019140546.tif 000024
【図１０Ｂ】
2019140546.tif 000025
【図１０Ｃ】
2019140546.tif 000026
【図１０Ｄ】
2019140546.tif 000027
【図１０Ｅ】
2019140546.tif 000028
【図１０Ｆ】
2019140546.tif 000029
【図１１】
2019140546.tif 000030
【図１２】
2019140546.tif 000031
【図１３】
2019140546.tif 000032
【図１４Ａ】
2019140546.tif 000033
【図１４Ｂ】
2019140546.tif 000034
【図１４Ｃ】
2019140546.tif 000035
【図１４Ｄ】
2019140546.tif 000036
【図１４Ｅ】
2019140546.tif 000037
【図１４Ｆ】
2019140546.tif 000038
【図１５】
2019140546.tif 000039
【図１６】
2019140546.tif 000040
【図１７】
2019140546.tif 000041
【図１８】
2019140546.tif 000042
【図１９Ａ】
2019140546.tif 000043
【図１９Ｂ】
2019140546.tif 000044
【図２０Ａ】
2019140546.tif 000045
【図２０Ｂ】
2019140546.tif 000046
【図２０Ｃ】
2019140546.tif 000047
【図２１】
2019140546.tif 000048
【図２２Ａ】
2019140546.tif 000049
【図２２Ｂ】
2019140546.tif 000050
【図２３】
2019140546.tif 000051
【図２４】
2019140546.tif 000052